(57)【要約】【課題】異なる種類の原稿の重送をそれぞれ検知できる、画像読取装置を提供する。【解決手段】操作パネルの操作部に受け付けられる設定操作に応じて、重送の検知を行わないか、パーマネント設定による重送閾値（重送検知レベル）を用いて重送の検知を行うか、または、テンポラリ設定による重送閾値を用いて重送の検知を行うかが設定される（Ｓ１３）。そして、その設定に従って、原稿の重送の検知が行われないか（Ｓ１３：ＹＥＳ）、または、パーマネント設定による重送閾値もしくはテンポラリ設定による重送閾値を用いて重送の検知が行われる（Ｓ１３：ＮＯ）。【選択図】図５
2019169866.tif 000002
【特許請求の範囲】
【請求項１】
原稿を搬送する搬送部と、
前記搬送部によって搬送される原稿の画像を読み取る読取部と、
操作部と、
記憶部と、
制御部と、を備え、
前記記憶部は、原稿が重なって搬送される重送の検知に用いられる第１判断レベルを示す値と、前記第１判断レベルとは異なる第２判断レベルを示す値とを記憶し、
前記制御部は、
前記操作部に受け付けられる設定操作に応じて、重送の検知を行わないか、前記第１判断レベルを用いて重送の検知を行うか、または、前記第２判断レベルを用いて重送の検知を行うかを設定する設定処理を実行し、
前記搬送部による原稿の搬送時に、前記設定処理による設定が重送の検知を行わないための設定の場合に重送の検知を行わず、前記設定処理による設定が前記第１判断レベルを用いて重送の検知を行う設定の場合に前記第１判断レベルを用いて重送の検知を行い、前記設定処理による設定が前記第２判断レベルを用いて重送の検知を行う設定の場合に前記第２判断レベルを用いて重送の検知を行う、画像読取装置。
【請求項２】
請求項１に記載の画像読取装置であって、
前記制御部は、前記設定処理において、
当該画像読取装置にかかる設定として、重送検知に関する第１設定を行い、前記読取部による読み取りにかかる設定として、重送の検知に関する第２設定を行い、
前記第１設定および前記第２設定により異なる判断レベルが設定されている場合、前記第２設定の内容に従って重送の検知を行い、
前記第２設定の内容に従って重送の検知を行った場合に、前記読取部による読み取りの終了後、重送の検知に関する設定の内容を前記第１設定の内容にする、画像読取装置。
【請求項３】
請求項２に記載の画像読取装置であって、
前記制御部は、前記設定処理において、
前記第１設定の内容が重送の検知を行わない設定である場合、前記第２設定を禁止する、画像読取装置。
【請求項４】
請求項２または３に記載の画像読取装置であって、
前記制御部は、
前記第２設定を行った場合、前記操作部に受け付けられるショートカット登録操作に応じて、前記第２設定の内容をショートカットキーと対応づけて前記記憶部に記憶させ、
前記ショートカットキーが含まれる画面が表示されているときに、前記操作部に受け付けられる選択操作により前記ショートカットキーが選択された場合、前記記憶部から前記ショートカットキーと対応づけられている前記第２設定にしたがい、重送の検知を行う、画像読取装置。
【請求項５】
請求項１〜４のいずれか一項に記載の画像読取装置であって、
前記制御部は、
前記操作部に受け付けられる判断レベル登録操作に応じて、重送の検知に用いられる判断レベルを示す値を新規または上書きにて前記記憶部に記憶させる、画像読取装置。
【請求項６】
請求項５に記載の画像読取装置であって、
前記制御部は、
前記第１判断レベルを用いた重送の検知により重送を検知した場合であって、前記操作部に前記判断レベル登録操作が受け付けられた場合に、当該重送を検知した際の測定値に基づき、前記第１判断レベルを示す値を上書きにて前記記憶部に記憶させる、画像読取装置。
【請求項７】
請求項１〜６のいずれか一項に記載の画像読取装置であって、
前記搬送部によって搬送される原稿を通過した超音波を受信し、当該受信した超音波の強度に応じたレベルの信号を出力する超音波センサをさらに備え、
前記制御部は、
前記搬送部による第１種類の原稿の搬送時には、前記超音波センサから出力される信号のレベルが前記第１判断レベル以下である場合に、前記第１種類の原稿が重送を検知したと判断し、前記搬送部による第２種類の原稿の搬送時には、前記超音波センサから出力される信号のレベルが前記第２判断レベル以下である場合に、前記第２種類の原稿が重送を検知したと判断する、画像読取装置。
【発明の詳細な説明】
【技術分野】
【０００１】
本発明は、原稿の画像を読み取る画像読取装置に関する。
【背景技術】
【０００２】
従来、ＡＤＦ（Auto Document Feeder）方式により原稿の画像を読み取る画像読取装置では、複数枚の原稿が１枚ずつに分離されずに重なって搬送される、いわゆる重送を検知するため重送センサが設けられている。特許文献１では、カードまたは厚紙が搬送された場合、重送センサにより重送と誤検知されることを防止するため、所定のタイミングで音ジャムが発生したと判断した場合には、重送センサにより重送と判断した場合であっても、重送は発生しなかったものとみなして用紙搬送を行うことが記載されている。
【先行技術文献】
【特許文献】
【０００３】
【特許文献１】特開２０１４−４３３５１号公報
【発明の概要】
【発明が解決しようとする課題】
【０００４】
しかし、その既知の構成では、カードまたは厚紙が本当に重送した場合に、その重送を検知することができない。
【０００５】
本発明の目的は、異なる種類の原稿の重送をそれぞれ検知できる、画像読取装置を提供することである。
【課題を解決するための手段】
【０００６】
前記の目的を達成するため、本発明に係る画像読取装置は、原稿を搬送する搬送部と、搬送部によって搬送される原稿の画像を読み取る読取部と、操作部と、記憶部と、制御部と、を備え、記憶部は、原稿が重なって搬送される重送の検知に用いられる第１判断レベルを示す値と、第１判断レベルとは異なる第２判断レベルを示す値とを記憶し、制御部は、操作部に受け付けられる設定操作に応じて、重送の検知を行わないか、第１判断レベルを用いて重送の検知を行うか、または、第２判断レベルを用いて重送の検知を行うかを設定する設定処理を実行し、搬送部による原稿の搬送時に、設定処理による設定が重送の検知を行わないための設定の場合に重送の検知を行わず、設定処理による設定が第１判断レベルを用いて重送の検知を行う設定の場合に第１判断レベルを用いて重送の検知を行い、設定処理による設定が第２判断レベルを用いて重送の検知を行う設定の場合に第２判断レベルを用いて重送の検知を行う。
【０００７】
この構成によれば、操作部に受け付けられる設定操作に応じて、重送の検知を行わないか、第１判断レベルを用いて重送の検知を行うか、または、第２判断レベルを用いて重送の検知を行うかが設定される。そして、その設定に従って、搬送部によって搬送される原稿の重送の検知が行われないか、または、第１判断レベルもしくは第２判断レベルを用いて重送の検知が行われる。これにより、第１種類の原稿の重送をその原稿に適した第１判断レベルで検知することができ、また、第１種類とは異なる第２種類の原稿の重送をその原稿に適した第２判断レベルで検知することができる。
【発明の効果】
【０００８】
本発明によれば、異なる種類の原稿の重送をそれぞれ検知することができる。
【図面の簡単な説明】
【０００９】
【図１】本発明の一実施形態に係る画像読取装置の断面図である。
【図２】画像読取装置の電気的構成を示すブロック図である。
【図３】重送検知設定について説明するための画面遷移図である。
【図４】重送検知テーブルの一例を示す図である。
【図５】スキャンジョブ処理の流れを示すフローチャートである。
【図６】重送検知設定処理の流れを示すフローチャートである。
【図７】重送閾値変更処理の流れを示すフローチャートである。
【図８】重送閾値登録処理の流れを示すフローチャートである。
【図９】ショートカット登録について説明するための画面遷移図である。
【図１０】重送検知設定の追加登録について説明するための画面遷移図である。
【発明を実施するための形態】
【００１０】
以下では、本発明の実施の形態について、添付図面を参照しつつ詳細に説明する。
【００１１】
＜機械的構成＞
図１に示される画像読取装置１は、ＡＤＦ（Auto Document Feeder）方式により原稿の画像を読み取る電子機器である。画像読取装置１は、筐体２、供給トレイ３および排出トレイ４を備えている。供給トレイ３は、筐体２に対して一方側に設けられ、排出トレイ４は、筐体２に対して供給トレイ３と反対側に設けられている。画像読取装置１では、筐体２に対して供給トレイ３が設けられている一方側が後側であり、その反対側が前側である。供給トレイ３は、使用状態において、筐体２から後上方に延出している。排出トレイ４は、使用状態において、筐体２から前方に延出している。
【００１２】
筐体２には、使用状態の供給トレイ２の前端付近から前下方に延びる支持面１１が形成されている。支持面１１の前端は、筐体２の内外を連通する差込口１２の下端を形成している。また、筐体２には、排出トレイ４の後端部の上方の位置に、筐体２の内外を連通する排出口１３が形成されている。
【００１３】
筐体２内には、差込口１２から排出口１３に向けて前下がりに傾斜して延びる搬送路１４が設けられている。また、筐体２内には、搬送路１４に沿って差込口１２側から順に、供給ローラ１５、分離片１６、搬送ローラ１７および排出ローラ１８が設けられている。供給ローラ１５は、その周面が支持面１１に沿って前側に延びる仮想平面に下側から接するように配置されている。分離片１６は、供給ローラ１５の周面に前上側から当接するように配置されている。搬送ローラ１７は、供給ローラ１５に対して離間した位置に配置されている。搬送ローラ１７は、上側搬送ローラ２１および下側搬送ローラ２２の対からなる。上側搬送ローラ２１および下側搬送ローラ２２は、搬送路１４上で互いの周面が当接することによりニップを形成している。排出ローラ１８は、上側排出ローラ２３および下側排出ローラ２４の対からなる。上側排出ローラ２３および下側排出ローラ２４は、搬送路１４上で互いの周面が当接することによりニップを形成し、そのニップ部分が排出口１３から筐体２の外部に露出している。
【００１４】
また、搬送ローラ１７と排出ローラ１８との間には、第１ＣＩＳ（Contact Image Sensor）２５および第２ＣＩＳ２６（それぞれ読取部の一例）が設けられている。第１ＣＩＳ２５は、搬送路１４の下側に配置されている。第２ＣＩＳ２６は、搬送路１４の上側であって第１ＣＩＳ２５に対して前側にずれた位置に配置されている。第１ＣＩＳ２５および第２ＣＩＳ２６は、複数の受光素子が画像読取装置１の幅方向に配列されたイメージセンサと、搬送路１４に向けて光を照射する光源と、光源から出射されて被照射物により反射された光をイメージセンサの各受光素子に結像させるロッドレンズアレイとを備えている。イメージセンサは、各受光素子における受光に応じたアナログ信号を出力する。
【００１５】
原稿の画像を読み取るスキャンジョブの実行に際しては、たとえば、原稿がユーザの手指で把持されて、原稿の先端部が筐体２の支持面１１上を滑らせながら差込口１２から筐体２内に差し込まれる。原稿の先端部が供給ローラ１５の周面に当接するまで筐体２内に差し込まれた後、原稿からユーザの手指が離されると、その原稿が供給トレイ３および支持面１１に支持される。原稿の枚数が複数枚である場合には、その複数枚の原稿が積み重なった状態で供給トレイ３および支持面１１に支持される。なお、原稿のサイズによっては、原稿が供給トレイ３上に差し掛からずに支持面１１のみによって支持される。
【００１６】
ユーザによるスキャン開始の指示に応じて、供給ローラ１５、搬送ローラ１７および排出ローラ１８の回転が開始される。供給ローラ１５の回転により、供給ローラ１５から供給ローラ１５と接触している原稿に搬送力が付与され、その原稿の先端部が供給ローラ１５と分離片１６との間を通過する。複数枚の原稿が積み重なっている場合、最下の原稿が供給ローラ１５と分離片１６との間を通過することによって、その原稿が他の原稿から分離される。その後、原稿が搬送ローラ１７に到達すると、搬送ローラ１７から原稿に搬送力が付与されて、原稿が排出ローラ１８に向けてさらに搬送される。そして、原稿が第１ＣＩＳ２５と第２ＣＩＳ２６との間を通過するときに、第１ＣＩＳ２５から原稿の下面に光が照射されて、原稿の下面の画像が第１ＣＩＳ２５に読み取られる。また、原稿の両面の画像が読み取られる場合には、第２ＣＩＳ２６から原稿の上面に光が照射されて、原稿の上面の画像が第２ＣＩＳ２６に読み取られる。原稿が排出ローラ１８に到達すると、排出ローラ１８から原稿に搬送力が付与されて、その搬送力により、原稿が排出トレイ４上に排出される。
【００１７】
また、筐体２内には、原稿センサ３１および重送センサ３２が設けられている。原稿センサ３１は、たとえば、供給トレイ３および支持面１１に支持される原稿が接触することにより回動するアクチュエータと、そのアクチュエータの回動を検出する光学センサとを備えている。重送センサ３２には、超音波を発振する超音波発振部３３と、超音波を受信する超音波受信部３４とを備える構成のものが採用されている。
【００１８】
＜電気的構成＞
画像読取装置１は、図２に示されるように、ＡＳＩＣ（Application Specific Integrated Circuit）４１、ＲＯＭ（Read Only Memory）４２およびＲＡＭ（Random Access Memory）４３を備えている。
【００１９】
ＡＳＩＣ４１は、ＣＰＵ４４（制御部の一例）を内蔵している。ＲＯＭ４２（記憶部の一例）は、フラッシュメモリなどの書き換え可能な不揮発性メモリからなる。ＲＯＭ４２には、ＣＰＵ４４によって実行されるプログラムや各種のデータなどが記憶されている。ＲＡＭ４３は、ＤＲＡＭ（Dynamic Random Access Memory）などの揮発性メモリであり、ＣＰＵ４４がプログラムを実行する際のワークエリアとして使用される。
【００２０】
第１ＣＩＳ２５および第２ＣＩＳ２６に対応づけて、それぞれＡＦＥ（Analog Front End）４５，４６が設けられている。ＡＦＥ４５により、第１ＣＩＳ１５のイメージセンサから出力されるアナログ信号が増幅されてデジタル信号である画像データに変換される。また、ＡＦＥ４６により、第２ＣＩＳ２６のイメージセンサから出力されるアナログ信号が増幅されてデジタル信号である画像データに変換される。ＡＳＩＣ４１には、ＡＦＥ４５，４６から画像データが入力される。
【００２１】
ＡＳＩＣ４１には、原稿センサ３１の検出信号が入力される。供給トレイ３および支持面１１に原稿が支持されているか否かに応じて原稿センサ３１のアクチュエータの回動位置が異なり、原稿センサ３１の光学センサから出力される検出信号のレベル、つまり光学センサに含まれる受光素子から出力される電圧が異なる。したがって、ＡＳＩＣ４１のＣＰＵ４４は、原稿センサ３１の検出信号のレベルから供給トレイ３および支持面１１に原稿が支持されているか否かを判別することができる。
【００２２】
ＡＳＩＣ４１には、重送センサ３２の検出信号が入力される。重送センサ３２の超音波発振部３３と超音波受信部３４との間に原稿が存在する状態では、その原稿の厚みや重送の有無などに応じて、超音波発振部３３から超音波受信部３４に到達する超音波が減衰するので、超音波受信部３４から出力される電圧（アナログ信号）が変化する。ＡＳＩＣ４１では、重送センサ３２から入力される検出信号、つまり超音波受信部３４から出力されるアナログ信号のＡ／Ｄ変換により、重送センサ信号値（デジタル値）が取得される。原稿の厚みや重送の有無などに応じて重送センサ信号値が変化するので、ＡＳＩＣ４１のＣＰＵ４４は、その重送センサ信号値から重送を検知することができる。
【００２３】
ＡＳＩＣ４１には、ネットワークインタフェース４７およびＵＳＢインタフェース４８が接続されている。ネットワークインタフェース４７は、ＰＣ（Personal Computer）などの外部装置とのＬＡＮ（Local Area Network）を介したデータ通信のためのインタフェースである。通信の方式は、無線通信方式であってもよいし、有線通信方式であってもよい。ＵＳＢインタフェース４８は、ＵＳＢデバイスとのデータ通信のためのインタフェースである。
【００２４】
画像読取装置１は、操作パネル５１を備えている。操作パネル５１は、たとえば、ユーザが視認および操作可能な位置、たとえば、筐体２の上面に配置されている。操作パネル５１は、タッチパネルからなり、液晶ディスプレイなどの表示部５２上に感圧式または静電容量式の透明フィルムスイッチなどの操作部５３を重ねて構成されている。表示部５２には、各種の情報や操作キーなどの画像が表示される。ユーザが表示部５２に表示される操作キーをタッチ操作することにより、その操作キーのタッチ操作が操作部５３に受け付けられ、そのタッチ操作に応じた信号が操作部５３からＡＳＩＣ４１に入力される。
【００２５】
なお、表示部５２と操作部５３とは、タッチパネルを構成せずに、別々に独立して設けられていてもよい。
【００２６】
また、画像読取装置１は、供給ローラ１５、搬送ローラ１７および排出ローラ１８の回転駆動源としての搬送モータ５４を備えている。供給ローラ１５、搬送ローラ１７、排出ローラ１８および搬送モータ５４などにより、原稿を搬送する搬送部の一例が構成されている。
【００２７】
ＡＳＩＣ４１のＣＰＵ４４は、ＲＯＭ２２に記憶されているプログラムを実行することにより、ＡＳＩＣ４１に入力される信号などから取得される情報に基づいて、第１ＣＩＳ２５、第２ＣＩＳ２６、ネットワークインタフェース４７、ＵＳＢインタフェース４８、表示部５３および搬送モータ５４などの各部を制御する。
【００２８】
＜重送検知レベル設定＞
画像読取装置１では、操作パネル５１の操作部５３の操作により、スキャンジョブの実行時に原稿の重送の検知を行うか行わないかを設定可能であり、また、重送検知を行う場合にその重送検知に用いられる重送検知閾値を変更可能である。
【００２９】
画像読取装置１の電源がＯＮされ、画像読取装置１による機能の実行準備が整うと、表示パネル５１の表示部５２に待機画面が表示される。また、表示パネル５１の表示部５２をユーザが操作することにより表示画面が切り替わった後や、供給トレイ３および支持面１１に支持された全原稿の画像を読み取るスキャンジョブが完了した後、所定時間、たとえば１分間が経過すると、表示パネル５１の表示部５２に待機画面が表示される。
【００３０】
待機画面には、たとえば、図３に示されるように、３個のジョブ選択キー６１，６２，６３が表示される。スキャンジョブには、原稿の画像の読み取り後に画像データをＵＳＢインタフェース４８からＵＳＢデバイスに送信する「Scan To USB」ジョブと、原稿の画像の読み取り後に画像データをネットワークインタフェース４７からインターネット経由でサーバに送信する「Scan To FTP」ジョブと、原稿の画像の読み取り後に画像データをネットワークインタフェース４７からＬＡＮ接続された機器に送信する「Scan To Network」ジョブとが含まれる。ジョブ選択キー６１は、ユーザが「Scan To USB」ジョブを選択する場合にタッチ操作されるキーである。ジョブ選択キー６２は、ユーザが「Scan To FTP」ジョブを選択する場合にタッチ操作されるキーである。ジョブ選択キー６３は、ユーザが「Scan To Network」ジョブを選択する場合にタッチ操作されるキーである。
【００３１】
また、待機画面には、重送検知のパーマネント設定の状況を確認またはパーマネント設定を変更する際にタッチ操作されるパーマネント設定キー６４が表示される。パーマネント設定では、重送検知のオンおよびオフを設定することができる。パーマネント設定キー６４がタッチ操作されると、重送検知設定メニュー６７が表示部５２に表示される。この重送検知設定メニュー６７の中から、任意の重送検知設定の１つをタッチ操作することにより、重送検知設定をパーマネント設定として変更することができる。なお、初期設定として、本実施形態における画像読取装置１の重送検知設定は「ＯＮ」設定となっている。パーマネント設定は、ユーザの操作により一度変更されると、再度ユーザ操作を行うまで変更後の設定が保持される。
【００３２】
重送検知設定メニュー６７は、ＲＯＭ４２に保存されている重送検知テーブルの内容に従って表示される。重送検知テーブルでは、重送検知設定と対応づけて、重送検知に使用される重送閾値が記憶されている。また、名称が登録されている重送検知設定については、その名称が重送検知設定と対応づけて記憶されている。重送検知設定メニュー６７では、名称が登録されている重送検知設定についてはその登録されている名称が併せて表示される。
【００３３】
図４には、図３に対応する重送検知テーブルの一例が示されている。図４の重送検知テーブルでは、「ＯＦＦ」設定、「ＯＮ」設定、「ＯＮ１」設定、「ＯＮ２」設定および「ＯＮ３」設定がそれぞれ名称および重送閾値が対応付けて記憶されている。「ＯＦＦ」設定は、重送検知をオフにする設定である。「ＯＮ」設定、「ＯＮ１」設定、「ＯＮ２」設定および「ＯＮ３」設定は、重送検知をオンにする設定であり、それぞれ重送閾値が異なる。「ＯＮ」設定は、重送閾値「５００」が記憶されている。重送検知レベルが標準的な設定であり、工場出荷時から登録されている設定である。なお、この重送検知テーブルにおける重送閾値は変更可能である。「ＯＮ１」設定は、重送閾値「３００」と登録名「カード」とが記憶され、「ＯＮ」設定、「ＯＮ１」設定、「ＯＮ２」設定および「ＯＮ３」設定の中では重送検知レベルが最も低い設定である。すなわち、カードのように厚みのある原稿が搬送される場合に用いられる重送検知として適している。「ＯＮ２」設定は、重送閾値「４００」と登録名「厚紙」とが記憶され、「ＯＮ」設定よりも重送検知レベルが低く、「ＯＮ３」設定よりも重送検知レベルが高い設定である。例えば、普通紙よりも厚みがあるがカードより厚みの薄い厚紙のような原稿が搬送される場合に用いられる重送検知として適している。「ＯＮ３」設定は、重送閾値「５５０」と登録名「薄紙」が記憶され、「ＯＮ」設定よりも重送検知レベルが高い設定である。例えば、普通紙よりも厚みのない薄紙のような原稿が搬送される場合に用いられる重送検知として適している。重送検知では、原稿の画像の読み取り時に重送センサ３２の検出信号から取得される重送センサ信号値が重送閾値以下である場合に、ＡＳＩＣ４１のＣＰＵ４４に原稿が重送されたと判定される。したがって、重送閾値が高いほど重送検知レベルが高く、重送閾値が低いほど重送検知レベルが低いと言える。
【００３４】
さらに、待機画面には、ショートカットキー６５が表示される。ショートカットキー６５については、後述する。
【００３５】
ジョブ選択キー６１〜６３のいずれかがタッチ操作されると、表示部５２の表示画面が待機画面から実行指示画面に切り替わる。実行指示画面では、タッチ操作されたジョブ選択キー６１〜６３に応じたスキャンジョブに関する各種設定の状況、たとえば、画像データのファイル形式やスキャン解像度などの設定の状況が表示される。
【００３６】
実行指示画面には、詳細設定キー６６が表示される。ユーザは、詳細設定キー６６をタッチ操作することにより、スキャンジョブに関する各種設定を変更することができる。すなわち、詳細設定キー６６がタッチ操作されると、表示部５２の表示画面が実行指示画面から詳細設定画面に切り替わり、この詳細設定画面でスキャンジョブに関する各種設定を変更することができる。
【００３７】
詳細設定画面では、重送検知に関する重送検知設定をパーマネント設定から変更することができる。たとえば、詳細設定画面に表示される重送検知設定メニュー表示キーがタッチ操作されると、詳細設定画面に重送検知設定メニュー６７がポップアップ表示される。重送検知設定メニュー６７には、現在パーマネント設定により設定されている重送検知設定が選択されている状態で、選択可能な複数の重送検知設定が一覧の形式で表示される。この重送検知設定メニュー６７の中から、任意の重送検知設定の１つをタッチ操作することにより、重送検知設定をそのタッチ操作した重送検知設定にテンポラリ設定として変更することができる。テンポラリ設定は、これからスキャンを開始するスキャンジョブに対する重送検知として設定される。したがって、スキャンジョブ処理が終了されると、テンポラリ設定に設定された重送検知設定はリセットされる。なお、パーマネント設定で重送検知がオフに設定されている場合、テンポラリ設定で重送検知設定を変更することはできない。
【００３８】
また、実行指示画面には、スタートキー６８およびショートカット登録キー６９が表示される。スタートキー６８のタッチ操作により、スキャンジョブの開始が指示される。スキャンジョブが開始されると、スキャンジョブの実行中であることを示す「Scanning」の文字が操作パネル５１の表示部５２に表示される。ショートカット登録キー６９については、後述する。
【００３９】
＜スキャンジョブ処理＞
操作パネル５１の表示部５２に待機画面が表示され、その待機画面でジョブ選択キー６１〜６３のいずれかがタッチ操作されると、ＡＳＩＣ４１のＣＰＵ４４は、図５に示されるスキャンジョブ処理を実行する。
【００４０】
スキャンジョブ処理では、ＣＰＵ４４は、原稿がセットされたか否か、つまり供給トレイ３および支持面１１に原稿が支持された否かを判別する（Ｓ１１）。原稿がセットされるまで、スキャンジョブ処理がこれ以降のステップに進むことはなく、ＣＰＵ４４は、原稿がセットされたか否かを繰り返し判別する。
【００４１】
原稿がセットされて、供給トレイ３および支持面１１に原稿が支持されると（Ｓ１１：ＹＥＳ）、ＣＰＵ４４は、表示部５２に表示されている実行指示画面でスタートキー６８がタッチ操作されたか否か、つまりスキャンジョブの開始が指示されたか否かを判別する（Ｓ１２）。スキャンジョブの開始が指示されるまで、スキャンジョブ処理がこれ以降のステップに進むことはなく、ＣＰＵ４４は、スキャンジョブの開始が指示されたか否かを繰り返し判別する。
【００４２】
実行指示画面でのスタートキー６８のタッチ操作によりスキャンジョブの開始が指示されると（Ｓ１２：ＹＥＳ）、ＣＰＵ４４は、重送検知を行うか否かを設定し、また、重送検知を行う場合にはその重送検知に用いる重送閾値を設定するための重送検知設定処理を実行する（Ｓ１３）。重送検知設定処理の詳細については、後述する。
【００４３】
重送検知設定処理の終了後、ＣＰＵ４４は、重送検知設定処理で重送検知がオフに設定されているか否かを判別する（Ｓ１４）。重送検知がオフに設定されている場合（Ｓ１４：ＹＥＳ）、ＣＰＵ４４は、第１ＣＩＳ２５、第２ＣＩＳ２６および搬送モータ５４などを制御して、供給トレイ３および支持面１１に支持された原稿がなくなるまで、その積層された枚数分の原稿のスキャン（画像の読み取り）を実行して（Ｓ１５）、スキャンジョブ処理を終了する。
【００４４】
重送検知がオンに設定されている場合（Ｓ１４：ＮＯ）、ＣＰＵ４４は、重送センサ３２をオンにする（Ｓ１６）。重送センサ３２のオンにより、重送センサ３２の超音波発振部３３から超音波が発振され、その超音波が超音波受信部３４に受信されて、その受信した超音波の強弱に応じたアナログ信号が超音波受信部３４から出力される。そして、ＡＳＩＣ４１では、超音波受信部３４から出力されるアナログ信号のＡ／Ｄ変換により、重送センサ信号値が一定の周期で取得される。
【００４５】
重送センサ３２のオンの後、ＣＰＵ４４は、搬送モータ５４などを制御して、１枚の原稿の搬送を開始する（Ｓ１７）。また、ＣＰＵ４４は、第１ＣＩＳ２５および第２ＣＩＳ２６を制御して、その搬送される原稿の少なくとも一方の面の画像を読み取らせる。
【００４６】
ＣＰＵ４４は、重送センサ信号値が取得される度に、その重送センサ信号値が重送閾値以下であるか否かを判別する（Ｓ１８）。そして、重送センサ信号値が重送閾値よりも大きい場合には（Ｓ１８：ＮＯ）、ＣＰＵ４４は、１枚の原稿のスキャンが完了したか否かを判別する（Ｓ１９）。１枚の原稿のスキャンが完了するまで、ＣＰＵ４４は、重送センサ信号値が重送閾値以下であるか否かを判別し（Ｓ１８）、１枚の原稿のスキャンが完了すると（Ｓ１９：ＹＥＳ）、原稿センサ３１の検出信号から供給トレイ３および支持面１１上に原稿があるか否かを判別する（Ｓ２０）。
【００４７】
供給トレイ３および支持面１１上に原稿がある場合（Ｓ２１）、ＣＰＵ４４は、次の１枚の原稿の搬送を開始させて（Ｓ１７）、前述したステップＳ１７以降の処理を実行する。そして、供給トレイ３および支持面１１上に原稿がなくなると（Ｓ２１：ＮＯ）、ＣＰＵ４４は、重送センサ３２をオフにして、このスキャンジョブ処理を終了する。これにて、１つのスキャンジョブが完了となる。
【００４８】
ＣＰＵ４４は、原稿の搬送中に重送センサ信号値が重送閾値以下であると判定した場合（Ｓ１８：ＹＥＳ）、その原稿の搬送を停止する（Ｓ２２）。そして、ＣＰＵ４４は、レベル変更確認のメッセージ、たとえば、「重送を検出しました。原稿の読取を終了します。重送検知レベルを変更しますか？」の文字を表示パネル５１の表示部５２に表示させる（Ｓ２３）。また、ＣＰＵ４４は、そのメッセージとともに、「ＹＥＳ」キーおよび「ＮＯ」キーを表示部５２に表示させる。ユーザは、搬送された原稿の重送を確認して、「ＹＥＳ」キーおよび「ＮＯ」キーをタッチ操作する。実際に重送が確認された場合は、「ＮＯ」を選択し、実際には重送が発生していない場合は、「ＹＥＳ」を選択する。
【００４９】
ユーザにより「ＮＯ」キーがタッチ操作されると（Ｓ２４）、ＣＰＵ４４は、重送検知レベルを変更しないと決定し（Ｓ２５：ＮＯ）、「重送が発生したので終了します」の文字を表示部５２に表示させて（Ｓ２６：エラー表示）、このスキャンジョブ処理を終了する。一方、ユーザにより「ＹＥＳ」キーがタッチ操作された場合には（Ｓ２４）、ＣＰＵ４４は、重送検知レベルの変更を決定し（Ｓ２５：ＹＥＳ）、重送閾値変更処理を実行した後（Ｓ２７）、このスキャンジョブ処理を終了する。重送閾値変更処理については、後述する。ユーザは、再度原稿をセットしスキャンジョブ処理を実行させることで、変更後の重送検知レベルを用いて重送検知を行いながら、スキャンジョブ処理を実行することができる。
【００５０】
スキャンジョブ処理が終了すると、ＣＰＵ４４は、表示パネル５１の表示部５２に、実行指示画面を表示する。この際、重送検知のテンポラリ設定をリセットする。
【００５１】
＜重送検知設定処理＞
図５のステップＳ１３で実行される重送検知設定処理の流れは、図６に示されている。
【００５２】
重送検知設定処理では、ＡＳＩＣ４１のＣＰＵ４４は、パーマネント設定では重送検知がオンに設定されているか否かを判別する（Ｓ１３１）。重送検知がオフに設定されている場合には（Ｓ１３１：ＮＯ）、ＣＰＵ４４は、スキャンジョブにおける重送検知をオフにして（Ｓ１３２）、つまり重送検知を行わないことを決定して、重送検知設定処理を終了する。
【００５３】
重送検知がオンに設定されている場合には（Ｓ１３１：ＹＥＳ）、ＣＰＵ４４は、重送検知設定をパーマネント設定から変更する指示があったか否か、つまり操作パネル５１の表示部５２に表示される重送検知メニュー６７の中から、テンポラリ設定として、重送検知レベルの変更が指示されたか否かを判別する（Ｓ１３３）。
【００５４】
重送検知レベルの変更が指示された場合（Ｓ１３３：ＹＥＳ）、つまり重送検知メニュー６７の中から「ＯＮ」設定、「ＯＮ１」設定、「ＯＮ２」設定または「ＯＮ３」設定がテンポラリ設定された場合には、ＣＰＵ４４は、そのテンポラリ設定された「ＯＮ」設定、「ＯＮ１」設定、「ＯＮ２」設定または「ＯＮ３」設定に対応する重送閾値を重送検知に使用する重送閾値に決定して（Ｓ１３４）、重送検知設定処理を終了する。一方、重送検知レベルの変更が指示されなかった場合には（Ｓ１３３：ＮＯ）、ＣＰＵ４４は、パーマネント設定である「ＯＮ」設定、「ＯＮ１」設定、「ＯＮ２」設定または「ＯＮ３」設定に対応する重送閾値を重送検知に使用する重送閾値に決定して（Ｓ１３４）、重送検知設定処理を終了する。
【００５５】
＜重送閾値変更処理＞
図５のステップＳ２７で実行される重送閾値変更処理の流れは、図７に示されている。
【００５６】
重送閾値変更処理では、ＡＳＩＣ４１のＣＰＵ４４は、重送閾値以下に下回った重送センサ信号値を取得する（Ｓ２７１）。そして、操作パネル５１の表示部５２に、置換／新規登録確認のメッセージ、たとえば、「重送検知レベルを置き換えますか？重送検知レベルを新規登録しますか？」を表示させる（Ｓ２７２）。また、ＣＰＵ４４は、そのメッセージとともに、「置き換え」キーおよび「新規登録」キーを表示部５２に表示させる。
【００５７】
その後、ユーザにより「置き換え」キーがタッチ操作されると（Ｓ２７３）、ＣＰＵ４４は、重送検知レベルの置き換えを決定し（Ｓ２７４：ＹＥＳ）、その時点で設定されている重送検知設定に対応づけて重送検知テーブルに記憶されている重送閾値を重送センサ信号値に置き換えて（Ｓ２７５）、重送閾値変更処理を終了する。
【００５８】
一方、ユーザにより「新規登録」キーがタッチ操作された場合には（Ｓ２７３）、ＣＰＵ４４は、重送検知レベルの新規登録を決定し（Ｓ２７４：ＮＯ）、次に説明する重送閾値登録処理を実行して（Ｓ２７６）、重送閾値変更処理を終了する。
【００５９】
＜重送閾値登録処理＞
重送閾値登録処理の流れは、図８に示されている。
【００６０】
重送閾値登録処理では、ＡＳＩＣ４１のＣＰＵ４４は、操作パネル５１の表示部５２に重送閾値登録画面を表示させる。重送閾値登録画面には、たとえば、重送検知設定の名称（表示名）を入力する表示名入力ボックスが表示され、その表示名入力ボックスの下側に、ＱＷＥＲＴＹ配列のキーボードおよび「ＯＫ」キーが表示される。そのキーボードをユーザがタッチ操作することにより、表示名入力ボックスに名称を入力することができる。表示名入力ボックスに任意の名称が入力された後（Ｓ２７６１）、「ＯＫ」キーがタッチ操作されると、ＣＰＵ４４は、ＲＯＭ４２に保存されている重送検知テーブルに重送検知設定を新規に登録して、その新規登録した重送検知設定と対応づけて重送センサ信号値を重送閾値として保存する（Ｓ２７６２）。そして、ＣＰＵ４４は、重送閾値登録処理を終了する。
【００６１】
＜ショートカット機能＞
図９に示されるように、操作パネル５１の表示部５２に表示されている実行指示画面でショートカット登録キー６９がタッチ操作されると、表示部５２の表示画面が実行指示画面からショートカットメニュー画面に切り替わる。ショートカットメニュー画面には、ショートカットメニュー７１が表示される。ショートカットメニュー７１には、すでに登録されているショートカットのショートカット名のほか、ショートカットの新規登録を指示する「＋」ボタンが含まれる。
【００６２】
「＋」ボタンがタッチ操作されると、ショートカット名を入力するショートカット名入力ボックス７２が表示され、その表示名入力ボックス７２の下側に、ＱＷＥＲＴＹ配列のキーボード７３および「ＯＫ」キー７４が表示される。そのキーボード７３をユーザがタッチ操作することにより、ショートカット名入力ボックス７２にショートカット名を入力することができる。ショートカット名入力ボックス７２に任意の名称が入力された後、「ＯＫ」キー７４がタッチ操作されると、タッチ操作された「＋」ボタンが表示されていた箇所に、ショートカット名入力ボックス７２に入力されたショートカット名が表示されるとともに、その時点での重送検知設定などのスキャンジョブに関する各種設定がショートカット名と対応づけてＲＯＭ４２に記憶される。
【００６３】
ショートカットメニュー画面でショートカット名をタッチ操作すれば、そのショートカット名に対応づけてＲＯＭ４２に記憶されている各種設定に従って、スキャンジョブが実行される。ショートカットメニュー画面は、待機画面でショートカットキー６５をタッチ操作することによっても表示部５２に表示される。一度、ショートカット名に対応付けられる各種設定には、重送検知のテンポラリ設定が登録される。したがって、ショートカットを登録しておくことで、毎回テンポラリ設定を変更する必要なく、テンポラリ設定にしたがった重送検知設定による重送検知を行うことができる。
【００６４】
＜作用効果＞
以上のように、操作パネル５１の操作部５３に受け付けられる設定操作に応じて、重送の検知を行わないか、複数の重送閾値のうち、いずれかの重送閾値を用いて重送の検知を行うかが設定される。そして、その設定に従って、原稿の重送の検知が行われないか、または、設定した重送閾値を用いて重送の検知が行われる。これにより、異なる種類の原稿の重送をその原稿に適した重送検知レベルで検知することができる。パーマネント設定とテンポラリ設定とにより重送閾値の設定を行うことができるため、読み取る頻度の高い原稿の種類に応じた重送検知設定をパーマネント設定で設定しておき、読み取る頻度の低い原稿の種類に応じた重送検知設定をその種類の原稿が読み取られる際のテンポラリ設定として設定することで、利用頻度に応じて適切な重送閾値による重送検知を行うことができる。テンポラリ設定の際の重送検知メニューは、スキャンジョブの各種設定を行うためのメニュー画面に含まれるため、重送閾値の変更を行うための操作性が向上される。
【００６５】
また、テンポラリ設定による重送閾値の変更があった場合でも、スキャンジョブが終了すると、重送閾値がパーマネント設定による重送閾値に戻される。これにより、ユーザが気づかないまま、次以降のスキャンジョブにおいてテンポラリ設定による重送閾値を用いて重送検知が行われることを抑制できる。
【００６６】
原稿の重送が検知された場合には、操作パネル５１の表示部５２にレベル変更確認のメッセージとともに「ＹＥＳ」キーおよび「ＮＯ」キーが表示され、「ＹＥＳ」キーがタッチ操作されると、重送閾値変更処理が実行されて、重送検知設定に対応づけられた重送閾値がスキャンジョブ中に取得された重送センサ信号値に置き換えられるか、その重送センサ信号値が新規の重送検知設定と対応づけてＲＯＭ４２に登録される。これにより、ユーザが所望する適切な重送検知レベルでの重送検知が可能となり、原稿の重送検知の精度をより高めることができる。
【００６７】
なお、原稿の重送が検知された場合に限らず、スキャンジョブが所定回数実行されたことに応じて、たとえば、最後に実行されたスキャンジョブでの重送検知設定に対応づけられた重送閾値がそのスキャンジョブの実行中に取得された重送センサ信号値の最低値に自動更新されてもよい。これにより、経年劣化による重送検知の精度の低下を抑制することができる。
【００６８】
＜変形例＞
以上、本発明の一実施形態について説明したが、本発明は、他の形態で実施することもできる。
【００６９】
重送検知登録処理は、ユーザが任意のタイミングで登録できるようにしてもよい。たとえば、待機画面を操作することで操作パネル５１の表示部５２に表示される重送検知設定メニュー６７に「重送レベル設定（自動）」の項目が設けられてもよい（図１０参照）。この項目がタッチ操作されると、たとえば、「測定用原稿１枚セットしてください。セットしたら「スタート」キーを押下してください。」などのメッセージが表示部５２に表示される。この表示に従って、ユーザが測定用原稿を画像読取装置１にセットし、表示部５２に表示されるスタートキーをタッチ操作すると、測定用原稿が搬送路１４を搬送される。この搬送中、重送センサ３２がオンにされて、ＡＳＩＣ４１にて重送センサ信号値が取得される。測定用原稿の搬送が完了すると、登録画面が表示部５２に表示される。登録画面には、たとえば、重送検知設定の名称（表示名）を入力する表示名入力ボックス８１が表示され、その表示名入力ボックス８１の下側に、ＱＷＥＲＴＹ配列のキーボード８２および「ＯＫ」キー８３が表示される。そのキーボード８２をユーザがタッチ操作することにより、表示名入力ボックス８１に名称を入力することができる。表示名入力ボックス８１に任意の名称が入力された後、「ＯＫ」キー８３がタッチ操作されると、ＲＯＭ４２に保存されている重送検知テーブルに重送検知設定が新規に登録されて、その新規登録された重送検知設定と対応づけて測定用原稿の搬送時に取得された重送センサ信号値のうちの最低値が重送閾値として保存される。そして、その新規登録された重送検知設定が重送検知設定メニュー６７に追加される。
【００７０】
これにより、原稿の重送が検知されないときにも重送検知設定の新規登録が可能となり、重送検知テーブルに現在記憶されている重送閾値よりも大きな重送閾値を追加することができる。
【００７１】
パーマネント設定として、重送検知レベルが標準的な設定である「ＯＮ」設定および「ＯＦＦ」設定の２種類から選択可能とし、テンポラリ設定として、「ＯＮ」設定の中から、異なる重送閾値の中から選択可能としてもよい。また、工場出荷時の段階で、重送検知テーブルに異なる重送閾値を有する複数の重送検知設定を記憶していてもよい。
【００７２】
Ｓ２３におけるレベル変更確認表示は、２段階にわけて表示させてもよい。例えば、「重送が検知されました。読取を中断しますか？」と表示し、操作部によりＹＥＳが選択されると、Ｓ２６のエラー表示を行い、ＮＯが選択されると、「重送検知レベルを変更しますか？」と表示してもよい。そして、操作部によりＹＥＳが選択されると、Ｓ２７の重送閾値変更処理を行ってもよい。ここで、ＮＯ（重送検知レベルを変更しない）が選択されると、停止した読取処理を再開させてもよい。また、Ｓ２７の重送閾値変更処理を行った後、変更後の重送閾値により、停止した原稿の続きを読み取ってもよい。重送閾値変更処理で新規に閾値が登録された場合には、新規に登録した重送検知設定にしたがい続きの原稿の読み取りにおける重送の検知をおこなってもよい。
【００７３】
また、パーマネント設定がオフであっても、テンポラリ設定を行えるようにしてもよい。また、テンポラリ設定から重送検知をオフに設定できるようにしてもよい。また、所定のテンポラリ設定を含むショートカットキーが登録された後に、パーマネント設定がオフに変更された場合、ショートカット登録されたテンポラリ設定をオフに切り替えてもよい。
【００７４】
また、前述の実施形態では、ＣＰＵ４４が各処理を実行する場合について説明した。しかしながら、ＡＳＩＣ４１が複数のＣＰＵを備え、複数のＣＰＵが協働して各処理を実行してもよい。
【００７５】
その他、前述の構成には、特許請求の範囲に記載された事項の範囲で種々の設計変更を施すことが可能である。
【符号の説明】
【００７６】
１：画像読取装置
２５：第１ＣＩＳ
２６：第２ＣＩＳ
３２：重送センサ
４２：ＲＯＭ
４４：ＣＰＵ
５２：表示部
５３：操作部
【図１】
2019169866.tif 000003
【図２】
2019169866.tif 000004
【図３】
2019169866.tif 000005
【図４】
2019169866.tif 000006
【図５】
2019169866.tif 000007
【図６】
2019169866.tif 000008
【図７】
2019169866.tif 000009
【図８】
2019169866.tif 000010
【図９】
2019169866.tif 000011
【図１０】
2019169866.tif 000012